(57)【要約】      （修正有）【課題】シャワーで流しながら身体を洗うことができ、しかも入浴者はベッドや布団の上で寝ながら入浴が可能となる浴用カバーおよびこれを用いた介護用入浴装置を提供する。【解決手段】人があお向け状態で寝ることができる幅があり、適宜に定めた長さを有する合成樹脂やゴム等の遮水材製の底シート材の両側および後端に連続した立ち壁を形成し、その任意の立ち壁に排水管10を連結して形成した下カバーと、  遮水性のある柔軟なシート製で、前記下カバーに対応する幅と長さを有する半円筒形、かまぼこ形、多角形等の立体形とし、複数の挿入孔を所望位置に配置して手が内部に挿入できるようにし、後端に閉止壁を設けた上カバー本体内に、合成樹脂やゴム等の弾性材製の空気を出し入れできる骨チューブによる支持枠を配置して立体形が形成されかつ支えられるようにした上カバーとよりなる浴用カバー1とした。【選択図】図１
2006122095.tif 000002
【特許請求の範囲】
【請求項１】
人があお向け状態で寝ることができる幅があり、適宜に定めた長さを有する合成樹脂やゴム等の遮水材製の底シート材の両側および後部に連続した立ち壁を形成した下カバーと、
遮水性のある柔軟なシート製で、前記下カバーに対応する幅と長さを有する半円筒形、かまぼこ形、多角形等の立体形とし、複数の挿入孔を所望位置に配置して手が内部に挿入できるようにし、後端に閉止壁を設けた上カバー本体内に、合成樹脂やゴム等の弾性材製の空気を出し入れできる骨チューブによる支持枠を配置して立体形が形成されかつ支えられるようにした上カバーとよりなることを特徴とする浴用カバー。
【請求項２】
人があお向け状態で寝ることができる幅があり、適宜に定めた長さを有する合成樹脂やゴム等の遮水材製の底シート材の両側および後部に連続した立ち壁を形成した下カバーと、
遮水性のある柔軟なシート製で、前記下カバーに対応する幅と長さを有する半円筒形、かまぼこ形、多角形等の立体形とし、周囲を封止した二重構造としてその隙間に空気を入れられるようにした風船体とし、周囲を封止した筒複数の挿入孔を所望位置に配置して手が内部に挿入できるようにすると共に後部に閉止壁を設けた立体形が形成される上カバーとよりなることを特徴とする浴用カバー。
【請求項３】
人があお向け状態で寝ることができる幅があり、適宜に定めた長さを有する合成樹脂やゴム等の遮水材製の底シート材の両側および後部に連続した立ち壁を形成し、その任意の立ち壁に排水管を連結して形成した下カバーと、
遮水性のある柔軟なシート製で、前記下カバーに対応する幅と長さを有する半円筒形、かまぼこ形、多角形等の立体形とし、複数の挿入孔を所望位置に配置して手が内部に挿入できるようにし、後端に閉止壁を設け、この閉止壁もしくは側部に温風注入用の開口を設けた上カバー本体内に、合成樹脂やゴム等の弾性材製の空気を出し入れできる骨チューブによる支持枠を配置して立体形が形成されかつ支えられるようにした上カバーとによって構成した浴用カバーと、温風供給装置と、温水シャワー供給装置と、排水槽とよりなることを特徴とする介護用入浴装置。
【請求項４】
人があお向け状態で寝ることができる幅があり、適宜に定めた長さを有する合成樹脂やゴム等の遮水材製の底シート材の両側および後部に連続した立ち壁を形成し、その任意の立ち壁に排水管を連結して形成した下カバーと、
遮水性のある柔軟なシート製で、前記下カバーに対応する幅と長さを有する半円筒形、かまぼこ形、多角形等の立体形とし、周囲を封止した二重構造としてその隙間に空気を入れられるようにした風船体とし、周囲を封止した複数の挿入孔を所望位置に配置して手が内部に挿入できるようにすると共に後部に閉止壁を設け、この閉止壁もしくは側部に温風注入用の開口を設けた立体形が形成される上カバーとによって構成した浴用カバーと、温風供給装置と、温水シャワー供給装置と、排水槽とよりなることを特徴とする介護用入浴装置。
【発明の詳細な説明】
【技術分野】
【０００１】
本発明は、寝たきり老人や病人等の起き上がることができない寝たきりの人の身体を洗う浴用カバーおよびこれを用いた介護用の入浴装置に関する。
【背景技術】
【０００２】
従来ベッドの上で寝たきりの人の身体を洗う介護用の入浴装置としては、水密製のシートで作成した入浴袋内に身体を入れ、給湯して２個の穴に取り付けた洗身用手袋を使って身体を洗うようにした装置がある（例えば、特許文献１参照。）。
【特許文献１】実開平６−６１２３９号公報
【発明の開示】
【発明が解決しようとする課題】
【０００３】
しかしながら、上述した従来の技術においては、入浴装置の簡易入浴袋内に略一杯に貯留したお湯がこぼれないようにするために、ベッドの上半身側が起きる形式のものでなくてはなくてはならず、平面状態のベッドでは使用することができないという問題がある。
さらに、簡易入浴袋内に湯を略満たして使用するために、入浴袋内に大きな圧力がかかると共にかなりの重量となり、しかも中の水の動きに従って重力が偏って不安定となって取扱いが非常に困難であるという問題がある。
【０００４】
また、入浴袋と一体の洗身用手袋では所望のところに自由に手がとどかず、しかも、介護人の手は常に手袋を介してしか入浴者に触れることができないという問題がある。
本発明は、上記の問題点を解決するためになされたもので、浴用カバー内でシャワーを用いて介護人が入浴者を洗うことができる手段を提供することを目的とする。
【課題を解決するための手段】
【０００５】
そこで本発明は、人があお向け状態で寝ることができる幅があり、適宜に定めた長さを有する合成樹脂やゴム等の遮水材製の底シート材の両側および後端に連続した立ち壁を形成し、その任意の立ち壁に排水管を連結して形成した下カバーと、
遮水性のある柔軟なシート製で、前記下カバーに対応する幅と長さを有する半円筒形、かまぼこ形、多角形等の立体形とし、複数の挿入孔を所望位置に配置して手が内部に挿入できるようにし、後端に閉止壁を設けた上カバー本体内に、合成樹脂やゴム等の弾性材製の空気を出し入れできる骨チューブによる支持枠を配置して立体形が形成されかつ支えられるようにした上カバーとよりなる浴用カバーとしたことを特徴とする。
【０００６】
さらに、上記浴用カバーと温風供給装置と、温水シャワー供給装置と、排水槽とよりなる介護用入浴装置としたことを特徴とする。
【発明の効果】
【０００７】
これにより、本発明は、シャワーで流しながら身体を洗うことができ、しかも入浴者はベッドや布団の上で寝ながら入浴が可能となるという効果を有する。
さらに、小型に折り畳んで持ち運びが可能であるために、どこでも入浴させることができるという効果を有する。
【発明を実施するための最良の形態】
【０００８】
以下に、図面を参照して本発明の実施例を説明する。
図１は本発明の実施例を示す説明図、図２は下カバーの説明図、図３は上カバーの説明図ある。
図において、１は浴用カバーであり、下カバー２と上カバー３とより構成されている。前記下カバー２は、合成樹脂やゴム等の遮水性のあるシート製であり、人があお向け状
態で十分に寝ることができる幅があり、首、胸付近もしくは胴までを覆うことができる適宜に定めた長さを有する底シート材４の両側および後端に連続した所望の高さ（本実施例では１０ｃｍ程度）の立ち壁５、６、７を形成し、その立ち壁６、７の内側面の略全周にわたって面ファスナ等の着脱具８Ａの片方が設けてある。なお、前部には立ち壁はなくてもよいが、設けておいたほうが使用時に用いた湯がそこからこぼれるおそれが少ない。
【０００９】
この下カバー２の前部には、下カバー２自体もしくは柔軟な合成樹脂繊維による布体や合成樹脂シートからなる延長補助材４Ａを設け、締め付け用のベルト１１が取り付けてあり、このベルト１１には面ファスナ等の着脱具９Ａが設けてある。
さらに、この下カバー２の任意の立ち壁、本実施例では立ち壁７に排水管１０が連結してある。
【００１０】
前記上カバー３は、好ましくは透明や半透明の合成樹脂の遮水性のある柔軟なシート製であり、前記下カバー２に対応する幅と長さを有する半円筒形、かまぼこ形、多角形等の立体形の上カバー本体１２の後端に閉止壁１３がある。この閉止壁１３もしくは下カバー側面には温風注入用の開孔１４が形成されている。
前記上カバー本体１２の前部には、上カバー本体１２が直接もしくは柔軟な合成樹脂繊維による布体や合成樹脂シートからなる延長補助材１２Ａを設け、前記締め付け用のベルト１１に連結して締め付ける他方のベルト１５が取り付けてあり、このベルト１５には前記着脱具９Ａに対応する着脱具９Ｂが設けてある。
【００１１】
なお、ベルト１５を設けずに上カバー本体１２に直接着脱具を設けてもよい。また、このベルト１５および着脱具は必ずしも必要なものではなく、例えば、下カバー１の延長補助材４Ａに取り付けた締め付けベルト１１の端部にそれぞれ対応する着脱具を設けておけばその締め付けベルト１１で上カバー３の延長補助材１２Ａを入浴者の身体に締め付けることができる。さらには、ベルトは下カバーにも上カバーにも一体に取付けた構造でなくてもよく、また、別に設けた一本のベルトで上下のカバーの延長補助材の上から入浴者の身体に巻きつけるようにして締めてもよい。
【００１２】
また、上カバー本体１２には、複数の挿入孔１６が所望個所に設けてあり、それぞれの挿入孔１６は中心から放射状に切断して中央がそれぞれ自由端となり、周囲が挿入孔１６の周囲に接続している状態の舌片１７によって手が上カバー３内に挿抜できるように閉じられている。
さらに、上カバー本体の両側部下部には上記下カバー２の着脱具８Ａに対応する着脱具８Ｂが設けてある。なお、立ち壁がしっかり独立できるような場合には、これら着脱具８Ａ、８Ｂはなくてもよい。
【００１３】
上記上カバー３の上カバー本体１２は、合成樹脂製の骨チューブによる支持枠１８によって立体形が形成されかつ支えられるようになっている。この支持枠１８は、上カバー本体１２の内側に沿って取り付けられる構造となっている。
つまり、図４に示す如く、上カバー３の前後長さに見合った長さの２本の骨チューブ１８１、１８２の前後端にそれぞれ上カバー３の幅と高さに見合った形状のアーチ状や多角状の骨チューブ１８３、１８４を空気の連通状態で一体に連結し、さらに、この両骨チューブ１８３と１８４の間に１本から３本程度の同様のアーチ状や多角形状の骨チューブ１８５（本実施例では１本）を所望の間隔に配置して上記骨チューブ１８１、１８２と連通状態で連結する。
【００１４】
さらに、上記各アーチ状の骨チューブ１８３、１８４、１８５の間を連結するように前後方向のチューブ１８１、１８２と平行に１本から３本程度のチューブ１８６、１８７、１８８（本実施例では３本）を所定の間隔に配置し、アーチ状の各骨チューブ１８３、１８４、１８５と連通状態で連結してある。なお、この骨チューブ１８６、１８７、１８８と各骨チューブ１８３、１８４、１８５との配置接続状態は、骨チューブ１８６、１８７、１８８と各骨チューブ１８３、１８４、１８５とが同一面状となるように配置して接続してもよく、また、骨チューブ１８６、１８７、１８８が各骨チューブ１８３、１８４、１８５の下側に位置するように接続して上下に配置してもよい。
【００１５】
このようにした各骨チューブ１８１〜１８８は全てが空気の連通状態であり、任意の個所に設けたバルブ１９からポンプによって空気を注入して全ての骨チューブ内に空気を満たして、立体の支持枠１８を構成することができるようになっている。そのバルブ１９から空気を抜けば扁平になる。
なお、この骨チューブ１８１〜１８８の組合せは上記の構成に限るものではなく、縦方向及び横方向のそれぞれの骨チューブの配置本数は任意であり、さらに必要に応じては斜めに補強チューブを配置してもよいもので、格子状やトラス状となるように組み合わせると強固な構造になる。
【００１６】
このようにした支持枠１８の前端のアーチ状や多角形状の骨チューブ１８３の外周の一部と上記上カバー本体１２の前部の多少内側に入った個所（上記で延長補助材を設けた場合にはその補助材の連結部付近）とを接着して上カバー本体１２と支持枠１８とを一体にする。また、支持枠１８の後端のアーチ状や多角状の骨チューブ１８４の外周の一部と上記上カバー本体１２の後端の内側とを接着して上カバー本体１２と支持枠１８とを一体にする。つまり、支持枠１８の外側に上カバー本体１２をかぶせて上下端で接続されたものが形成されることになる。なお、上記の如く、バルブ１９を設ける位置は骨チューブのどこでもよいが、この上カバー本体１２と骨チューブが一体に接着し接着部に上カバー３の外に突出するように設けておくとバルブ１９による空気の出し入れの作業性がよい。
【００１７】
また、上記説明では上カバー３を上カバー本体１２と支持枠１８とで立体を構成したが、支持枠１８を用いずに図６に示す如く、上カバー３を、周囲をシールして封止した二重構造の上カバー３ａ、３ｂとしてその隙間に空気を入れられるようにした上カバー３全体を風船体としてもよい。その場合には、各挿入孔１６や開孔１４はその二重構造の２枚の上カバー３ａ、３ｂの両方の孔１６ａ、１６ｂ等の孔の周囲をシール接続して封止し、両上カバー３ａ、３ｂ間の空気が抜けない気密性を保つ風船体としておく。延長補助材は上記と同様に設け、バルブは図示しないが任意の個所に取り付ける。
【００１８】
以上説明したような上カバー３と下カバー２とより構成される浴用カバー１を使用するには、浴用カバー１の各骨チューブや二重カバー内に空気を入れるポンプ、温風供給装置２０、温水シャワー供給装置２１等が必要である。
これら各装置は現在それぞれ単品として普及している。例えば、ポンプは浮き輪や大型風船に空気を入れるポンプがあり、温風供給装置は布団乾燥機があり、温水シャワーはポータブル型の温水シャワーがあり、これら装置をそのままもしくは適宜改良して用いることができる。
【００１９】
図１に温風供給装置２０、温水シャワー供給装置２１および排水槽２２を一体に組み込んだ搬送供給装置２３を示す。
つぎに、上記構成の浴用カバーの使用について説明する。
まず、ベッド上、布団上等の入浴者の身体の下に下カバー２を敷く。
つぎに、上カバー３の支持枠１８にバルブ１９を介してポンプにより支持枠１８の各骨チューブ１８１〜１８９内に空気を入れることにより、上カバー３を略半円筒状の立体構造にすることができる。なお、この状態は上記の下カバー２を敷く前に予め用意しておいてもよいもので、作業順序は適宜に行う。  
【００２０】
つぎに、この上カバー３を入浴者の上にかぶせ、下カバー２の立ち壁５、６の着脱具８Ａと上カバー本体１２の着脱具８Ｂを係止して両カバーを一体に構成する。
そこで、下カバー２のベルト１１と上カバー３のベルト１５とにより入浴者の上半身の所定個所を締めて水および温風が漏れないようにする。なお、上記の如く、ベルトが下カバーだけに付けてある場合には、そのベルトだけで締めればよく、別体のベルトの場合はそのベルトで締めればよい。
【００２１】
以上によって入浴者は浴用カバー１内に水と空気が外側と遮断された状態になる。そこ
で、温風供給装置２０のホースを開孔１４に連結し、排水管１０の開口端を排水槽２２に注ぐように接続しておく。
この状態で、図１に示す如く、温風供給装置２０を稼動させ、介護者は入浴者に沿って位置し、温水シャワー供給装置２１のシャワー蛇口を手に持ってそれぞれの挿入孔１６から両手を浴用カバー１内に入れ、シャワー蛇口のスイッチによって温水を射出させながら入浴者の身体を洗うことができる。
【００２２】
使用された温水は排水管１０から順次に排水槽２２に排出されるために、温水は下カバー２の立ち壁５、６、７によってカバー外にあふれるのを防ぐことができる。
また、浴槽カバー１内は温風供給装置２０からの温風によって保温状態を保つことができ、その状態で、手を挿入する挿入孔１６の位置を変えることによって、身体を順次に洗うことができる。
【００２３】
洗い終わったら、温水シャワー供給装置２１および温風供給装置２０の駆動を止め、ベルト１１と１５を解除し、さらに着脱具８Ａと８Ｂの係止を解除することによって上カバー３を外す。
これによって、下カバー２上に残っている湯を流し出すと共に入浴者の身体を拭くことができ、下カバー２を取り除いて入浴は終了する。
【００２４】
その後、上カバー３の骨チューブの支持枠１８内の空気をバルブ１９によって抜いて扁平状態にし、折り畳んで持ち運びすることができる。
【図面の簡単な説明】
【００２５】
【図１】実施例を示す説明図
【図２】下カバーの説明図
【図３】上カバーの説明図
【図４】支持枠の説明図
【図５】上カバーの開いた状態の説明図
【図６】二重構造の上カバーの説明図
【符号の説明】
【００２６】
１  浴用カバー
２  下カバー
３  上カバー
３ａ、３ｂ  上カバー
４  底シート材
４Ａ  延長補助材
・  立ち壁
８Ａ、８Ｂ  着脱具
９Ａ、９Ｂ  着脱具
１０  排水管
１１  ベルト
１２  上カバー本体
１２Ａ  延長補助材
１３  閉止壁
１４  開孔
１５  ベルト
１６  挿入孔
１６ａ、１６ｂ  挿入孔
１７  舌片
１８  支持枠
１８１〜１８８  骨チューブ
１９  バルブ
２０  温風供給装置
２１  温水シャワー供給装置
２２  排水槽
２３  搬送供給装置
【図１】
2006122095.tif 000003
【図２】
2006122095.tif 000004
【図３】
2006122095.tif 000005
【図４】
2006122095.tif 000006
【図５】
2006122095.tif 000007
【図６】
2006122095.tif 000008